(57)【要約】【課題】電解水を生成し、電解水を用いて空気中に浮遊するウィルス等の除去を行う除菌加湿装置に使用される貯水容器において、電気分解の効率を向上させることを目的とする。【解決手段】本体ケース１内に設けた上方が開口した椀形状の貯水容器１４と、貯水容器１４に水を供給するタンク部材１５と、水を電気分解する電極部材８と、貯水容器１４の水に端部が浸漬するフィルタ１６とを備え、貯水容器１４内には、フィルタ１６とタンク部材１５とを設け、貯水容器１４は、タンク部材１５とフィルタ１６とを繋ぐ水路２６を有し、水路２６には、電極部材８を設け、電極部材８と対向した水路２６の内面の一部には、タンク部材１５からフィルタ１６へ流れる水が電極部材８へ流れるように水流方向を変化させる水流変更部材２７を設けたことにより、電気分解の効率を向上を得られる。【選択図】図４
2019011876.tif 000002
【特許請求の範囲】
【請求項１】
本体ケースと、
前記本体ケース内に設けた上方が開口した椀形状の貯水容器と、
前記貯水容器に水を供給するタンク部材と、
前記貯水容器の水を電気分解する電極部材と、
前記貯水容器の水に端部が浸漬するフィルタとを備え、
前記貯水容器は、前記フィルタを装着するフィルタ装着部と、前記タンク部材を装着するタンク装着部と、前記タンク装着部と前記フィルタ装着部とを繋ぐ水路を有し、
前記水路には、前記電極部材を設け、
前記電極部材と対向した前記水路の内面に、前記タンク装着部から前記フィルタ装着部へ流れる水が前記電極部材側へ流れるように水流方向を変化させる水流変更部材を設けたことを特徴とする除菌加湿装置。
【請求項２】
前記水流変更部材は、前記電極部材と対向した前記水路の内面の一部から内方へ突出していることを特徴とする請求項１に記載の除菌加湿装置。
【請求項３】
前記水流変更部材の水平断面形状は波形状であることを特徴とする請求項１または２に記載の除菌加湿装置。
【請求項４】
前記本体ケースの側面のひとつに開口部を設け、
前記貯水容器は、前記側面と直交する方向に前記開口部から着脱自在であり、
前記電極部材は、前記側面と直交する方向に平行、かつ、鉛直方向に立設した板形状であることを特徴とする請求項１から３のいずれかに記載の除菌加湿装置。
【請求項５】
前記電極部材は、上下方向に移動可能に設けられ、
前記水流変更部材と前記電極部材との前記水路を直交する水平距離は、上方へいくほど大きくなっていることを特徴とする請求項４に記載の除菌加湿装置。
【発明の詳細な説明】
【技術分野】
【０００１】
本発明は、貯水容器と電極部を備えた除菌加湿装置に関するものである。
【背景技術】
【０００２】
従来、この種の除菌加湿装置は、吸気口と吹出口を有する本体ケースと、吸気口と吹出口とを連通する風路に設けた送風部と空気浄化部とを備え、空気浄化部は、水を貯水する貯水容器と、貯水容器に水を供給するタンクと、貯水容器に供給された水に下端が浸漬したフィルタと電極を備えた除菌加湿装置が知られている（特許文献１）。
【先行技術文献】
【特許文献】
【０００３】
【特許文献１】特開２０１７−１５２８６号公報
【発明の概要】
【発明が解決しようとする課題】
【０００４】
水道水を電気分解して電解水を生成し、この電解水を用いて空気中に浮遊するウィルス等の除去を行う除菌加湿装置は、貯水容器に水を供給するタンクと、貯水容器に供給された水に下端が浸漬したフィルタと電極部材を備えている。貯水容器は、タンク部材とフィルタとを繋ぐ水路を有し、水路には電極部材を設けている。タンク部材からフィルタへ流れる水の一部は、電極部材と水路の内面との間を流れ、電極部材をバイパスし、電気分解の効率が低下する場合がある。
【０００５】
そこで本発明は、電気分解の効率を向上させる除菌加湿装置を提供することを目的とする。
【課題を解決するための手段】
【０００６】
そして、この目的を達成するために、本発明は、
本体ケースと、
前記本体ケース内に設けた上方が開口した椀形状の貯水容器と、
前記貯水容器に水を供給するタンク部材と、
前記貯水容器の水を電気分解する電極部材と、
前記貯水容器の水に端部が浸漬するフィルタとを備え、
前記貯水容器は、前記フィルタを装着するフィルタ装着部と、前記タンク部材を装着するタンク装着部と、前記タンク装着部と前記フィルタ装着部とを繋ぐ水路を有し、
前記水路には、前記電極部材を設け、
前記電極部材と対向した前記水路の内面に、前記タンク装着部から前記フィルタ装着部へ流れる水が前記電極部材側へ流れるように水流方向を変化させる水流変更部材を設けたことを特徴としたものであり、これにより所期の目的を達成するものである。
【発明の効果】
【０００７】
本発明によれば、本体ケースと、前記本体ケース内に設けた上方が開口した椀形状の貯水容器と、前記貯水容器に水を供給するタンク部材と、前記貯水容器の水を電気分解する電極部材と、前記貯水容器の水に端部が浸漬するフィルタとを備え、前記貯水容器は、前記フィルタを装着するフィルタ装着部と、前記タンク部材を装着するタンク装着部と、前記タンク装着部と前記フィルタ装着部とを繋ぐ水路を有し、前記水路には、前記電極部材を設け、前記電極部材と対向した前記水路の内面に、前記タンク装着部から前記フィルタ装着部へ流れる水が前記電極部材側へ流れるように水流方向を変化させる水流変更部材を設けたので、タンク部材からフィルタへ流れる水が、電極部材へ流れ易くなり、電解水を効率よく発生させることが可能となる。
【図面の簡単な説明】
【０００８】
【図１】本発明の実施の形態１の除菌加湿装置を示す斜視図
【図２】同除菌加湿装置を示す斜視図
【図３】同除菌加湿装置を示す展開図
【図４】同除菌加湿装置の貯水容器を示す斜視図
【図５】同除菌加湿装置の貯水容器を示す平面図
【図６】同除菌加湿装置の貯水容器を示す断面図
【発明を実施するための形態】
【０００９】
以下、本発明の実施の形態について図面を参照しながら説明する。
【００１０】
（実施の形態１）
図１は、本発明の実施の形態１の除菌加湿装置の斜視図であり、除菌加湿装置を前面側から見た図である。図２は、本発明の実施の形態１の除菌加湿装置の斜視図であり、パネルを開いて除菌加湿装置を前面側から見た図である。
【００１１】
図３は、本発明の実施の形態１の除菌加湿装置の断面図であり、除菌加湿装置を右側から見た図である。
【００１２】
図１、２に示すように、本実施形態の除菌加湿装置は、略箱形状の本体ケース１を備え、本体ケース１の両側面には略四角形状の吸気口２を有している。本体ケース１は、床等の水平面に置かれる。本体ケース１の一方側の側面である第１の本体側面１Ａには、縦長四角形状の開口部５を備えている。本実施の形態では、第１の本体側面１Ａは、本体ケース１の前面側から見て、右側の側面である。本体ケース１の開口部５には開閉可能なパネル３を備え、パネル３を開くと開口部５からタンク部材１５、貯水容器１４を取り出すことが出来る。本体ケース１の一方側の側面の吸気口２は、パネル３に設けられている。本体ケース１の天面には、開閉式の吹出口４を備えている。図１、２では、吹出口４は、閉じた状態である。
【００１３】
図３に示すように、本体ケース１内には、送風機６、加湿部３０を備えている。
【００１４】
送風機６は、本体ケース１の中央部に設けられ、モータ部９と、モータ部９により回転するファン部１０と、それらを囲むケーシング部１１とを備えている。ファン部１０は、シロッコファンで、モータ部９から水平方向に延びたモータ軸（図示せず）に固定され、モータ部９は、ケーシング部１１に固定されている。ケーシング部１１は、上方に吐出口１２を備え、本体ケース１における背面側に吸込口１３を有している。吐出口１２は、本体ケース１の吹出口４に向けられている。
【００１５】
送風機６を運転すると、加湿部３０、送風機６を経由して吹出口４から加湿された空気を吹き出す（風路１７）。
【００１６】
水を貯水する貯水容器１４は、貯水容器１４に水を供給するタンク部材１５と、貯水容器１４内の水に一部が浸漬するフィルタ１６を装着するようになっている。フィルタ１６は、水を保有する繊維材を円筒状に編んで形成されたものである。そして、この円筒状のフィルタ１６は、中心部を保持部材７で支持されて円筒形状を保持している。保持部材７は、中心部に回転軸を備え、回転軸を中心に略円柱形状となっている。フィルタ１６は、この保持部材７を中心にして被せるようにして支持させている。また、貯水容器１４とフィルタ１６は、送風機６より下方に配置されている。
【００１７】
貯水容器１４は、天面を開口した箱形状をしており、水を貯水できる構造となっている。また、貯水容器１４は、本体ケース１の下部に配置され、本体ケース１から水平方向にスライドして着脱可能となっている。詳しくは、貯水容器１４は、開口部５から第１の本体側面１Ａと直交する方向に引き出し、挿入することが可能となっている。
【００１８】
タンク部材１５は、本体ケース１内部の一方側の側面に設置され、パネル３を開いた状態で、貯水容器１４から着脱可能な構造となっている。
【００１９】
フィルタ１６は、貯水容器１４に貯水された水と、送風機６によって本体ケース１内に吸込まれた室内空気とを接触させる部材である。フィルタ１６は、円筒状に構成され、円周部分に空気が流通可能な孔を備え、その一端が貯水容器１４の水に浸漬するように、フィルタ１６の中心軸を回転中心として貯水容器１４に回転自在に内蔵されている。そして、駆動部（図示しない）による回転され、水と室内空気を連続的に接触させる構造となっている。
【００２０】
フィルタ１６は、貯水容器１４を本体ケース１から取り出した状態で、貯水容器１４から着脱できるようになっている。
【００２１】
詳しくは後述するが、電極部材８は、貯水容器１４内の水に浸かるように設置され、電極部材８に通電することにより貯水容器１４内の塩化物イオンを含む水（本実施の形態では水道水に塩化ナトリウムを溶解させた水）を電気化学的に電気分解することにより、電解水を生成させる。電極部材８は、移動保持部材（図示しない）によって、上下方向へ移動自在に保持されている。
【００２２】
本体ケース１内には、吸気口２と吹出口４とを連通する風路１７を備えている。この風路１７には、吸気口２から順に、保持部材７（貯水容器１４、フィルタ１６）、送風機６、吹出口４が配置されている。モータ部９によってファン部１０が回転すると、吸気口２から風路１７内に入った外部の空気は、順に、フィルタ１６、送風機６、吹出口４を介して、吹き出される。
【００２３】
図４は、本発明の実施の形態１の除菌加湿装置の貯水容器１４の斜視図であり、除菌加湿装置における右側前面側から見た図である。図５は、本発明の実施の形態１の除菌加湿装置の貯水容器１４の平面図であり、貯水容器１４を上方から見た図である。図６は、本発明の実施の形態１の除菌加湿装置の貯水容器１４の断面図であり、除菌加湿装置における右面側から見た図である。
【００２４】
図４、５、６に示すように、貯水容器１４は、上方が開口した略横長四角形の椀形状であり、タンク部材１５を装着するタンク装着部１８と、フィルタ１６を装着するフィルタ装着部１９とを有している。タンク装着部１８とフィルタ装着部１９とは、仕切板部２０によって仕切られている。タンク装着部１８とフィルタ装着部１９は、貯水容器１４の長手方向に並んで設けられている。
【００２５】
仕切板部２０は、貯水容器１４における一方の長辺側から他方の長辺側へ延びると共に上下方向に壁状に形成された板である。すなわち、仕切板部２０は、貯水容器１４の水平面を短辺と略平行に仕切っていることになる。仕切板部２０の下部には、孔である水路開口部２１を備えている。水路開口部２１は、横長四角形状の孔であり、タンク装着部１８とフィルタ装着部１９とを連通している。
【００２６】
タンク装着部１８は、タンク装着部１８の底面２８から上方へ延びた４つの壁面に囲まれている。４つの壁面は、仕切板部２０と、仕切板部２０と対向したタンク対向面２２と、仕切板部２０とタンク対向面２２の一方側端部を繋ぐタンク一方側面２３と、仕切板部２０とタンク対向面２２の他方側端部を繋ぐタンク他方側面２４である。タンク装着部１８におけるタンク対向面２２側に取手部２５を備えている。取手部２５は、貯水容器１４の下部に設けた凹部であって、下から指先を挿入して、本体ケース１の第１の本体側面１Ａと直交する方向に出し入れできるようになっている。
【００２７】
貯水容器１４は、仕切板部２０の水路開口部２１を介して、タンク部材１５と保持部材とを繋ぐ水路２６を有している。水路２６には、電極部材８を設け、電極部材８と対向した水路２６の内面の一部には、タンク部材１５からフィルタ１６へ流れる水が電極部材８へ流れるように水流方向を変化させる水流変更部材２７を有している。すなわち、水流変更部材２７は、タンク他方側面２４に設けられ、水路２６の流れる方向に直交する断面を局所的に狭くするようにしている。本実施の形態では、タンク他方側面２４が上下方向に尾根を有し、水平断面波形状となった水流変更部材２７である。すなわち、水流変更部材２７は、電極部材８と対向した水路２６の内面の一部から内方へ突出した突出部２７Ａである。突出部２７Ａは、上下方向に延び、水平方向に多数配置されている。
【００２８】
このような水流変更部材２７は、タンク部材１５からフィルタ１６へ流れる水が、電極部材８側へ流れ易くなる。従って、水路２６を流れる水は、電極部材８と効率よく接触するため、電解水を効率よく発生させることができる。
【００２９】
また、タンク部材１５から給水される水は、水路２６を経て電極部材８を通過する際、内面に突出した突出部２７Ａにより、電極部材８へ流れ易くなる。従って、水がバイパスすることなく電極部材８に流れるため、電解水を効率よく発生させることが可能となる。
【００３０】
また、本体ケース１は、ひとつの側面に開口部５を有している。貯水容器１４は、開口部５から開口部５を有した側面に直行する方向（以降、第１の方向）に着脱自在である。電極部材８は、上下方向および第１の方向に延びた板形状であり、上下方向に移動可能に設けられ、水流変更部材２７は、第１の方向に延びた水路の内面に設けられている。なお、貯水容器１４を本体ケース１から取り出す場合には、電極部材８を貯水容器１４から上方へ移動させた後に、貯水容器１４を引き出すようにして取り出す。
【００３１】
このように、水流変更部材２７が貯水容器１４に着脱方向に波形状を有しているので、貯水容器１４を引き出すときに発生する波は、突出部２７Ａによって形成された波形状とぶつかることになる。そのため、波が打ち消しあう干渉作用が発生し、水速が減速し、貯水容器１４外に水滴がこぼれることを抑制することができる。
【００３２】
また、水流変更部材２７と電極部材８との水平距離は、上方へいくほど大きくなっている。この水流変更部材２７と電極部材８との水平距離とは、水路２６の流水方向に直交する鉛直面における水流変更部材２７と電極部材８のきょりである。
【００３３】
このような構成により、電極部材８を下方向におろしていく際、貯水容器１４内の水路２６に形成された内面に突出した突出部２７Ａに干渉することなく、所定の位置に導かれる。
【産業上の利用可能性】
【００３４】
本発明にかかる除菌加湿装置は、家庭用や事務所用などに使用される加湿装置等として有用である。
【符号の説明】
【００３５】
１    本体ケース
１Ａ    第１の本体側面
２    吸気口
３    パネル
４    吹出口
５    開口部
６    送風機
７    保持部材
８    電極部材
９    モータ部
１０    ファン部
１１    ケーシング部
１２    吐出口
１３    吸込口
１４    貯水容器
１５    タンク部材
１６    フィルタ
１７    風路
１８    タンク装着部
１９    フィルタ装着部
２０    仕切板部
２１    水路開口部
２２    タンク対向面
２３    タンク一方側面
２４    タンク他方側面
２５    取手部
２６    水路
２７    水流変更部材
２７Ａ    突出部
２８    底面
３０    加湿部
【図１】
2019011876.tif 000003
【図２】
2019011876.tif 000004
【図３】
2019011876.tif 000005
【図４】
2019011876.tif 000006
【図５】
2019011876.tif 000007
【図６】
2019011876.tif 000008